(57)【要約】【課題】  装置の稼動時に発生する障害に対して保守情報を提供できる保守情報管理システムを提供することを目的とする。【解決手段】  第１コンピュータ１においては、ログ生成部２３が分光光度計３に関する複数種類の事象情報ログを生成し、一つにまとめて時系列の順序に構成してなる稼動情報を得る。障害が発生すると、かかる稼動情報は第１コンピュータ１から第２コンピュータ５に送信される。第２コンピュータ５においては、比較抽出部３４が、稼動情報を基に障害を除去するための保守情報を記憶部３３から抽出し、保守情報出力部３５が保守情報を第１コンピュータに送信することで、保守情報を提供する。稼動情報は、稼動時の障害発生前の事象情報ログを含むとともに、複数種類の事象情報ログから構成されているので、稼動時に発生する広範囲の障害に対して保守情報の提供することができる。【選択図】        図３
2005275713.tif 000002
【特許請求の範囲】
【請求項１】
装置に関連する事象情報を有した第１コンピュータと前記装置の稼動時に発生する障害を除去するための保守情報を提供する第２コンピュータとを備える保守情報管理システムにおいて、前記第１コンピュータは、操作者が所定の命令を入力する操作手段と、前記操作手段に入力される命令を処理し、かつ、前記装置を制御するための所定の演算処理を行う制御手段と、前記装置に関連する複数種類の事象情報を生成する事象情報生成手段と、生成された前記事象情報が時系列の順に構成されてなる履歴情報を稼動情報として出力する稼動情報出力手段とを備え、前記第２コンピュータは、前記稼動情報出力手段から出力された前記稼動情報を受取る受取手段と、前記装置の稼動時に発生した障害と前記受取手段が受取る前記稼動情報とに基づいて、前記障害を除去するための保守情報を特定し得る事象情報を指定すると、前記稼動情報において前記指定された事象情報のみを比較対象とするパターン情報に編集し、かつ、前記保守情報を前記パターン情報に対応付けて編集する編集手段と、編集された前記パターン情報と前記保守情報とを蓄積して記憶する記憶手段と、前記受取手段が受取った稼動情報と前記記憶手段に蓄積されたパターン情報とを比較し、前記パターン情報を構成する全ての前記指定された事象情報が前記稼動情報に同じ時系列の順序で含まれている場合に、前記パターン情報は前記稼動情報と一致すると判断し、前記一致すると判断したパターン情報に対応付けられた保守情報を抽出する比較抽出手段と、前記比較抽出手段に抽出された保守情報を出力する第１保守情報出力手段とを備え、前記保守情報を提供することを特徴とする保守情報管理システム。
【請求項２】
請求項１に記載の保守情報管理システムにおいて、前記事象情報生成手段は、前記事象情報として、前記操作手段に入力される命令に関する操作情報と、前記制御手段において発生した異常に関する内部事象情報と、前記制御手段とその外部との通信において発生した異常に関する外部事象情報とを含むことを特徴とする保守情報管理システム。
【請求項３】
請求項２に記載の保守情報管理システムにおいて、前記第１コンピュータと前記第２コンピュータとが通信回線にて接続され、前記稼動情報出力手段が前記通信回線を介して前記稼動情報を前記受取手段に送信し、前記外部事象情報は、前記第１コンピュータと前記第２コンピュータとを接続する通信回線において発生した異常に関する事象情報を含むことを特徴とする保守情報管理システム。
【請求項４】
請求項１から請求項３のいずれかに記載の保守情報管理システムにおいて、前記第１コンピュータと前記第２コンピュータとが通信回線にて接続され、前記第１保守情報出力手段は、前記通信回線を介して前記保守情報を前記第１コンピュータに送信し、前記第１コンピュータは、受信した前記保守情報を出力する第２保守情報出力手段とを備えることを特徴とする保守情報管理システム。
【請求項５】
請求項１から請求項４のいずれかに記載の保守情報管理システムにおいて、前記第１コンピュータは、前記装置に組み込まれていることを特徴とする保守情報管理システム。
【請求項６】
請求項１から請求項５のいずれかに記載の保守情報管理システムにおいて、前記比較抽出手段は、さらに、前記抽出された全ての保守情報において、前記指定された事象情報の数が多いパターン情報に対応づけられた保守情報を優先的に抽出し、前記第１保守情報出力手段は、前記比較抽出手段が優先的に抽出した順に前記保守情報を出力することを特徴とする保守情報管理システム。
【発明の詳細な説明】
【技術分野】
【０００１】
この発明は、分析装置や医用装置や産業診断装置等の装置の保守情報管理システムに係り、特に、稼動時に装置に発生した障害に対する保守情報を提供する技術に関する。
【背景技術】
【０００２】
分析装置等に発生する障害の内容は、装置に組み込まれるソフトウエアの比重が増すにつれて、ソフトウエアに関するものが多くなっている。例えば、装置を制御するアプリケーションソフトウエアに関するものや、入出力デバイスとの通信に関するものなどである。また、ハードウエアに関する障害についても、その現象とともに、ソフトウエアに検出されて通知される場合が多くなっている。たとえば、装置を構成するセンサが故障したときも、測定値が表示されないといった現象とともに、ドライバソフトウエアから通信エラーが通知される場合がある。
【０００３】
しかしながら、このような現象や通知される情報はともに抽象的である。したがって、かかる障害に対処するときは、装置の操作者が取り扱い説明書を参照し、または、サポートセンター等に問い合わせて、或いは、サービスマンが現地に赴いて行っている。このように、稼動中に障害が発生すると、その障害を除去する作業は効率が悪い。
【０００４】
そのため、従来、この種の装置に対して定期的に機能検査を行う保守システムがある（例えば、特許文献１参照）。かかる保守システムは、定期的に分析装置等を検査、診断して、装置が有する障害を発見し、具体的な保守情報を提供するものである。
【特許文献１】特開２００２−２３０２００号公報
【発明の開示】
【発明が解決しようとする課題】
【０００５】
しかしながら、このような構成を有する従来例の場合には、次のような問題がある。
【０００６】
すなわち、従来の保守システムは、稼動中に発生した障害に対する保守を行うものではなく、検査時に検出された障害に限られる。そして、事前に十分な検査内容を準備することは困難であり、稼動中の障害発生を完全に防止することはできない。したがって、かかる保守システムを運用しても稼動中に障害が発生し、その障害に対して迅速に保守作業を行うことができない。
【０００７】
この発明は、このような事情に鑑みてなされたものであって、装置の稼動時に発生する障害に対して保守情報を提供できる保守情報管理システムを提供することを目的とする。
【課題を解決するための手段】
【０００８】
この発明は、このような目的を達成するために、次のような構成をとる。
【０００９】
すなわち、請求項1に記載の発明は、装置に関連する事象情報を有した第１コンピュータと前記装置の稼動時に発生する障害を除去するための保守情報を提供する第２コンピュータとを備える保守情報管理システムにおいて、前記第１コンピュータは、操作者が所定の命令を入力する操作手段と、前記操作手段に入力される命令を処理し、かつ、前記装置を制御するための所定の演算処理を行う制御手段と、前記装置に関連する複数種類の事象情報を生成する事象情報生成手段と、生成された前記事象情報が時系列の順に構成されてなる履歴情報を稼動情報として出力する稼動情報出力手段とを備え、前記第２コンピュータは、前記稼動情報出力手段から出力された前記稼動情報を受取る受取手段と、前記装置の稼動時に発生した障害と前記受取手段が受取る前記稼動情報とに基づいて、前記障害を除去するための保守情報を特定し得る事象情報を指定すると、前記稼動情報において前記指定された事象情報のみを比較対象とするパターン情報に編集し、かつ、前記保守情報を前記パターン情報に対応付けて編集する編集手段と、編集された前記パターン情報と前記保守情報とを蓄積して記憶する記憶手段と、前記受取手段が受取った稼動情報と前記記憶手段に蓄積されたパターン情報とを比較し、前記パターン情報を構成する全ての前記指定された事象情報が前記稼動情報に同じ時系列の順序で含まれている場合に、前記パターン情報は前記稼動情報と一致すると判断し、前記一致すると判断したパターン情報に対応付けられた保守情報を抽出する比較抽出手段と、前記比較抽出手段に抽出された保守情報を出力する第１保守情報出力手段とを備え、前記保守情報を提供することを特徴とする。
【００１０】
［作用・効果］請求項1に記載の発明によれば、第１コンピュータにおいて、操作者が操作手段を操作することによって命令が入力される。入力された命令は制御手段によって処理されるとともに、装置を制御するための所定の演算処理も実行される。これにより、第１コンピュータは装置を制御する。また、第１コンピュータにおいて、装置に関連する複数種類の事象を内容とする事象情報が事象情報生成手段によって生成される。生成された事象情報は、種類を問わず一つにまとめて、かつ、時系列の順序に構成される。このような事象情報の集合は、第１コンピュータが制御する装置の稼動情報として扱われる。かかる稼動情報は稼動情報出力手段によって出力される。この結果、第１コンピュータは、装置を制御するとともに、装置に関連する事象を時系列の順に記録した稼動情報に編集し、外部に渡すことができる。
【００１１】
一方、第２コンピュータにおいては、上述する稼動情報が受取手段に入力される。したがって、第２コンピュータ側のユーザーが、稼動情報を取得することができる。第１コンピュータが制御する装置に障害が発生したときは、稼動情報に基づいて障害の分析を行うことができる。
【００１２】
この結果、障害を除去するための保守情報を特定するとともに、特定の事象情報が特定の時系列の順序で構成されている稼動情報であれば、同じ障害が発生し、同じ保守情報によって除去できることが見出される場合がある。
【００１３】
そのようなときは、第２コンピュータにおいて、ユーザーが保守情報とともに稼動情報の特定の事象情報を指定することができる。これにより、編集手段が指定された事象情報のみを比較対象とするパターン情報に稼動情報を書き換える。なお、比較対象となる事象情報は単数でも複数でもよい。そして、保守情報はこのパターン情報に相互に対応付けられる。このように編集されたパターン情報と保守情報とは記憶手段に書き込まれ記憶される。
【００１４】
また、第２コンピュータは、この記憶手段に格納された保守情報を抽出する比較抽出手段を有している。すなわち、第２コンピュータの受取手段が受取る稼動情報は、上述した分析作業に供されるほかに、比較抽出手段に渡される。比較抽出手段は稼動情報を受取ると、記憶部に蓄積されるパターン情報を読み出して、稼動情報と各パターン情報が一致するか否か判断する。このとき、稼動情報に、パターン情報を構成する全ての指定された事象情報が同じ時系列の順序で含まれている場合に一致すると判断し、そうでない場合は一致しないと判断する。一致すると判断したときは、比較抽出手段はパターン情報に対応付けられた保守情報を記憶部から読み出して抽出する。抽出された保守情報は、保守情報出力手段によって出力される。これにより、第２コンピュータのユーザーは保守情報を得ることができ、装置の操作者に提供することができる。
【００１５】
以上のように構成される保守情報管理システムによれば、第２コンピュータに入力される稼動情報は障害が発生する以前の事象情報も含んでいる。よって、装置の稼動時の障害の発生の過程を明らかにすることが可能で、障害の原因や障害を除去するための保守情報を特定する分析作業が効率よく行うことができる。さらに、複数種類の事象情報が一つにまとめられて稼動情報が構成されている。よって、かかる稼動情報によれば、多方面から障害を分析できるので、より広範囲な障害の分析作業に対して稼動情報が有効になる。
【００１６】
また、パターン情報を編集することで、障害発生時の稼動情報に、障害と関係のない事象情報が混在していても、それに拘泥することなく、障害を除去するための保守情報を特定することが可能となる。さらに、稼動情報からパターン情報が編集されているので、より広範囲な障害に対して保守情報を提供することが可能となる。
【００１７】
また、かかるパターン情報を記憶部に蓄積することで、さまざまな障害に対応することができる。
【００１８】
請求項２に記載の発明は、請求項１に記載の保守情報管理システムにおいて、前記事象情報生成手段は、前記事象情報として、前記操作手段に入力される命令に関する操作情報と、前記制御手段において発生した異常に関する内部事象情報と、前記制御手段とその外部との通信において発生した異常に関する外部事象情報とを含むことを特徴とする。
【００１９】
［作用・効果］請求項２に記載の発明によれば、事象情報生成手段が生成する事象情報として、操作情報と内部事象情報と外部事象情報とを含む。ここで、操作情報とは、操作者が操作手段を操作する度に生成される、その命令または操作の事象情報である。内部事象は、処理を行う制御手段において発生する異常に関する事象情報である。外部事象は、制御手段とその外部との通信において発生した異常に関する事象情報である。なお、制御手段の外部とは、上記した装置のほかに、第１コンピュータが備える操作手段等や第２コンピュータも含まれる。また、内部事象及び外部事象としての異常とは、いわゆる警告レベルのものも含む。
【００２０】
したがって、稼動情報は、少なくとも３種類の事象情報が一つにまとめられ、時系列の順序で構成される。また、パターン情報も同様に少なくとも３種類の事象情報から構成される。よって、本保守情報管理システムによれば、第１コンピュータの制御手段において発生する障害や第１コンピュータと装置との情報通信において発生する障害、または装置において発生する障害に対しても保守情報を提供することが可能である。より具体的には、装置を制御するアプリケーションソフトウエアや装置とのインターフェイスを持つドライバソフトウエア等のソフトウエアに関する障害のほかに、第１コンピュータと装置等を接続する伝送媒体や装置等のハードウエアに関する障害に対しても、保守情報を提供することが可能である。
【００２１】
請求項３に記載の発明は、請求項２に記載の保守情報管理システムにおいて、前記第１コンピュータと前記第２コンピュータとが通信回線にて接続され、前記稼動情報出力手段が前記通信回線を介して前記稼動情報を前記受取手段に送信し、前記事象情報生成手段は、さらに、生成する外部事象情報として、前記第１コンピュータと前記第２コンピュータとを接続する通信回線において発生した異常に関する事象情報を含むことを特徴とする。
【００２２】
［作用・効果］請求項３に記載の発明によれば、第１コンピュータと第２コンピュータとが通信回線にて接続され、第１コンピュータの稼動情報出力手段から第２コンピュータの受取手段に稼動情報を送信することができる。これにより、第２コンピュータは定期的に稼動情報を受取るようにして、装置を常に監視することもできる。さらに、事象情報生成手段によって生成する外部事象情報として、前記第１コンピュータと前記第２コンピュータとの情報通信において発生した異常に関する事象情報を含むこととすることで、より多面的な稼動情報を得ることができる。
【００２３】
請求項４に記載の発明は、請求項１から請求項３のいずれかに記載の保守情報管理システムにおいて、前記第１保守情報出力手段は、前記通信回線を介して前記保守情報を前記第１コンピュータに送信し、前記第１コンピュータは、受信した前記保守情報を出力する第２保守情報出力手段とを備えることを特徴とする。
【００２４】
［作用・効果］請求項４に記載の発明によれば、第１コンピュータに保守情報を出力する第２保守情報出力手段を備えることで、第２コンピュータで得られた保守情報を第１コンピュータにも出力することができる。したがって、第１コンピュータの操作者に直接、保守情報を提供することができるので、障害の除去作業を迅速に開始することができる。
【００２５】
請求項５に記載の発明は、請求項１から請求項４のいずれかに記載の保守情報管理システムにおいて、前記第１コンピュータは、前記装置に組み込まれていることを特徴とする。
【００２６】
［作用・効果］請求項５に記載の発明によれば、前記第１コンピュータと装置とが一体である場合にも本保守情報管理システムを構成することができる。
【００２７】
請求項６に記載の発明は、請求項１から請求項５のいずれかに記載の保守情報管理システムにおいて、前記比較抽出手段は、さらに、前記抽出された全ての保守情報において、前記指定された事象情報の数が多いパターン情報に対応づけられた保守情報を優先的に抽出し、前記第１保守情報出力手段は、前記比較抽出手段が優先的に抽出した順に前記保守情報を出力することを特徴とする。
【００２８】
［作用・効果］請求項６に記載の発明によれば、比較抽出手段は、パターン情報が稼動情報と一致すると判断したときに、指定された事象情報の数が多いパターン情報に対応する保守情報を優先的に抽出する。これによって、抽出する保守情報を一致度の高いものから提供することが可能である。
【発明の効果】
【００２９】
この発明に係る保守情報管理システムによれば、稼動情報は障害が発生する以前の事象情報も含んでいるので、障害の原因や障害を除去するための保守情報を特定する分析作業が効率よく行うことができる。さらに、複数種類の事象情報を一つにまとめて稼動情報が構成されているので、より広範囲な障害の分析作業に対して稼動情報が有効になる。
【００３０】
また、パターン情報を編集することで、障害発生時の稼動情報に、障害と関係のない事象情報が混在していても、障害を除去するための保守情報を特定することが可能となる。
【００３１】
さらに、複数種類の事象情報が指定されてパターン情報が構成される場合は、より広範囲な障害に対して保守情報を提供することが可能となる。
【発明を実施するための最良の形態】
【００３２】
以下、図面を参照してこの発明の一実施例を説明する。
【００３３】
図１は、実施例に係る保守情報管理システムの概略構成を示す図である。
【００３４】
本実施例に係る保守情報管理システムは、図１に示すように、複数台の第１コンピュータ１ａ、１ｂ、１ｃ、…と、複数台の分光光度計３ａ、３ｂ、３ｃ、…と、第２コンピュータ５とを有する。以下の説明において、第１コンピュータを特に区別しない場合は、符号「１」を付して記載する。また、同様に分光光度計を特に区別しない場合は、符号「３」を付して記載する。
【００３５】
第１コンピュータ１と分光光度計３とは通信回線７ａ（例えばＲＳ−２３２Ｃ規格のケーブル）によって接続されている。また、第１コンピュータ１と第２コンピュータ５とはネットワーク７ｂを介して接続されている。かかる構成により、第１コンピュータ１は分光光度計３を制御するとともに、分光光度計３に関連する事象情報を有する。また、第１コンピュータ１は、分光光度計３に障害が発生したときは、第２コンピュータ５から保守情報の提供をうけることができる。ネットワーク７ｂはこの発明における通信回線に相当する。
【００３６】
分光光度計３は、一般に使用されるものであり、図示しない光源、分光器、試料室、検出器、及び指示計とから構成されている。なお、本実施例において、分光光度計３は装置の例示であり、その他の分析装置、医用装置、産業用診断装置等でもよい。
【００３７】
また、第１コンピュータ１の台数は複数台でも１台でもよく、分光光度計３の台数も複数台でも１台でもよい。また、第１コンピュータ１と分光光度計３の台数は、同数である必要はない。
【００３８】
第1コンピュータ１について、まず、ハードウエアとしての構成を簡単に説明する。図２は、第1コンピュータ１の基本構成を示す図である。
【００３９】
第1コンピュータ１は、分光光度計３を制御するアプリケーションソフトウエア等に従って各種処理を実行する中央演算処理装置（ＣＰＵ）１１と、演算処理の作業領域となるＲＡＭ（Random-Access Memory）１３と、上述するアプリケーションソフトウエア等の各種情報を記憶する固定ディスク１４と、操作者が各種コマンドを入力するためのキーボード１５ａとマウス１５ｂと、各種情報の表示を行うディスプレイ１６とを有する。さらに、図示しない入出力インターフェイスやネットワークを介して分光光度計３や第２コンピュータ５と情報通信を行うことができる。
【００４０】
次に、かかる第1コンピュータ１の機能構成について説明する。図３は、実施例に係る保守情報管理システムの機能構成を示すブロック図である。
【００４１】
第1コンピュータ１は、操作部２１、制御部２２、ログ生成部２３、稼動情報記憶部２４、稼動情報出力部２５、入力部２６、表示部２７とを備えている。
【００４２】
操作部２１は、操作者による分光光度計３の設定等の入力や、各種命令の入力を受け付ける。操作部２１は、図２に示されるマウス１５ａとキーボード１５ｂとによって構成されている。操作部２１はこの発明における操作手段に相当する。
【００４３】
制御部２２は、操作部２１に入力された命令を処理し、分光光度計３を制御するためのアプリケーションソフトウエアにしたがって演算処理を行う。よって、制御部２２の機能は、図２に示されるＣＰＵ１１が演算処理することによって実現される。制御部２２はこの発明における制御手段に相当する。
【００４４】
ログ生成部２３は、分光光度計３に関連する事象情報を事象情報ログとして生成する。事象情報としては、操作に関するものと内部事象と外部事象との３種類に分けられる。したがって、事象情報ログは、各々操作ログ、内部事象ログ、外部事象ログとに分けられる。また、各事象情報ログは、その事象が発生した日時を情報として含む。なお、かかるログ生成部２３の機能も、図２に示されるＣＰＵ１１が演算処理することによって実現される。ログ生成部２３はこの発明における事象情報生成手段に相当する。
【００４５】
ここで、操作ログとは、操作者が操作部２１を操作した内容、または操作部２１に入力した命令を示すものである。より詳細にいえば、キーボード１５ａ等による入力によってアプリケーションソフトウエアを操作する毎に生成される。例えば、「メニュー画面を開く」、「設定値の入力」、「測定項目の選択」、「測定開始命令」等が操作ログの内容となる。
【００４６】
内部事象ログは、所定の演算処理を行う制御部２２において発生する異常に関する事象情報ログである。より詳細にいえば、制御部２２がアプリケーションソフトウエアを実行するときに、異常や警告が通知される毎に生成される。例えば、「メモリ使用量超過」や「メモリ確保エラー」等が内部事象ログの内容となる。
【００４７】
外部事象ログは、通信回線７ａやネットワーク７ｂを介して、前記制御部２２とその外部との情報通信において発生した異常に関するものである。より詳細にいえば、制御部２２とその外部との情報通信において、インターフェイスを受け持つドライバソフトウエア等から通信エラー等が通知される毎に生成される。例えば、「通信エラー」等である。
【００４８】
稼動情報記憶部２４は、上述した各種事象情報ログを、一つにまとめて、時系列の順序に蓄積して記憶する。そして、このような事象情報ログの履歴情報は、分光光度計３の稼動情報となる。稼動情報記憶部２４は、図２に示される固定ディスク１４やＲＡＭ１３によって構成されている。
【００４９】
図４を参照する。図４は、稼動情報の構成を示す模式図である。
【００５０】
図示するように、稼動情報は、各行が１個の事象情報ログであり、時系列の順に構成される。そして、各事象情報ログは、その事象が発生した日時（年、月、日、時、分、秒）と、事象情報ログの種類を示す種別と、その事象の内容とから構成されている。ここで、事象情報ログの種別は、操作ログは「操作」と、外部事象ログは「外部要因」と、内部事象ログは「内部要因」と示している。
【００５１】
稼動情報出力部２５は、操作者が操作部２１を操作することにより、稼動情報記憶部２４から読み出して、送信する。送信された稼動情報はネットワーク７ｂを介して第２コンピュータに送られる。稼動情報出力部２５はこの発明における稼動情報出力手段に相当する。
【００５２】
よって、分光光度計３に障害が発生したときに、装置の稼動情報を送信することができる。具体的には、図４に示す稼動情報である。また、送信する稼動情報は、操作者の指定により、適宜必要な期間の稼動情報とすることができる。なお、障害が発生したときに限らず、定期的に稼動情報を送信することとしてもよい。
【００５３】
ここで、障害について説明する。以下の説明において「障害」とは、第１コンピュータが制御する分光光度計３に関するものをいう。よって、ハードウエアとしての分光光度計３自体の障害を当然含む。さらに、分光光度計３を制御するアプリケーションソフトウエアや、第１コンピュータ１と分光光度計３等とのインターフェイスをもつドライバソフトウエアに内在する障害を含む。そして、第１コンピュータと分光光度計３とを接続する通信回線７ａも含む。しかし、内部事象ログや外部事象ログの内容となる異常そのものは、ここでいう障害ではない。
【００５４】
入力部２６には、後述する第２コンピュータ５から送信される保守情報が入力される。そして、表示部２７が、かかる保守情報を表示する。この結果、操作者が障害に対する保守情報を閲覧することができる。表示部２７はこの発明における第２保守情報出力手段に相当する。
【００５５】
次に、第２コンピュータ５について、以下に説明する。第２コンピュータ５のハードウエアは一般的なコンピュータと同様の構成であればよい。したがって、図３を参照して、第２コンピュータ５の機能構成を説明する。第２コンピュータは、受取部３１、編集部３２、記憶部３３、比較抽出部３４、保守情報出力部３５とを備えている。
【００５６】
受取部３１は、ネットワーク７ｂを介して、第1コンピュータ１から送信された稼動情報を受信する。受取部３１はこの発明における受取手段に相当する。
【００５７】
受信した稼動情報は、予め記憶部３３に蓄積されている保守情報を抽出するために、比較抽出部３４に渡される。また、記憶部３３に蓄積されている保守情報では対応できない新たな障害に対しては、第２コンピュータ５のユーザーによる分析作業に供される。ここでは、後者から説明する。なお、第２コンピュータ側のユーザーと第１コンピュータ側の操作者とは区別して呼ぶが、同一人物であってもよい。
【００５８】
受信した稼動情報は、第２コンピュータ５の図示しない出力装置によって出力される。ユーザーは、この稼動情報に基づき、障害の分析作業を行う。ここで、「障害の分析」とは、障害を除去するための保守情報を見出す作業であり、そのために、障害の原因をより具体的に把握する必要がある。
【００５９】
分析作業の結果、保守情報を得るとともに、特定の事象情報ログが特定の順番で構成される稼動情報であれば、同様の障害を有するので同様の保守情報を提供できることがわかることがある。このような場合は、ユーザーは、稼動情報を呼び出して、保守情報を特定できる事象情報ログを指定するとともに、保守情報を入力する。具体的には、第２コンピュータの図示しない入力装置を操作することによって行う。なお、ユーザーは複数の事象情報を指定することができる。
【００６０】
編集部３２は、ユーザーの入力を受けて、稼動情報をパターン情報に書き換える。具体的には、指定された保守情報を特定し得る事象情報ログを比較の対象とし、指定されなかった事象情報ログは比較の対象としないパターン情報に編集する。なお、「比較」とは、後述するが、パターン情報と稼動情報とが一致するか否かの判断をするために行う比較をいう。編集部３２は、この発明における編集手段に相当する。
【００６１】
図５を参照する。図５はパターン情報の構成を示す模式図である。
【００６２】
各行には１つの事象情報ログが構成され、この集合がパターン情報となる。一つの事象情報ログは、種別と内容とから構成されている。なお、日時は省略されている。事象情報ログのうち、種別と内容にそのまま情報を有している事象情報ログが上述する指定されたものであり、比較対象となる。具体的には、２行目と４行目の事象情報ログである。一方、種別と内容に記号「＊」で示される情報を有している事象情報が、指定されなかったものであり、比較の対象とならない。すなわち、稼動情報と比較するときに比較の対象としないので、稼動情報にいかなる事象情報ログが任意の個数含まれていても許容されることになる。言いかえれば、いわゆる「ワイルドカード」のような事象情報ログとなっている。
【００６３】
編集部３２は、このようなパターン情報を編集するとともに、保守情報をこのパターン情報に対応付けて編集する。たとえば、パターン情報に保守情報を識別できる識別子を付与することとしてもよい。
【００６４】
図６を参照する。図６は、保守情報の構成を示す模式図である。
【００６５】
図６に示すように、保守情報は、障害と障害の原因と対策とから構成されている。このように、分光光度計３の操作者が保守作業を行える情報を備えている。したがって、保守情報の構成は図６に示す保守情報に限られず、その他の保守に必要な情報から構成されるものであってよい。例えば、取り替え部品の型番等の情報を含むものであってもよい。
【００６６】
記憶部３３には、相互に対応付けられたパターン情報と保守情報とが書き込まれて蓄積される。したがって、記憶部３３は、書き換え可能な記憶媒体によって構成される。記憶部３３は、この発明における記憶手段に相当する。
【００６７】
次に、受信した稼動情報に応じて、保守情報を記憶部３３から抽出する比較抽出部３４について説明する。
【００６８】
比較抽出部３４が、稼動情報を受取ると、記憶部３３に蓄積される全てのパターン情報を順次読み出して、稼動情報とを比較する。このとき、稼動情報は、パターン情報を構成する事象情報ログのうち、指定された事象情報ログとのみ比較される。そして、指定された全ての事象情報ログが、稼動情報に同じ時系列の順序で含まれている場合には一致すると判断する。また、そうでないときは一致しないと判断する。
【００６９】
図４に示す稼動情報と図５に示すパターン情報との比較した場合を考える。図５に示すパターン情報に含まれる指定された事象情報ログは、外部事象ログ（２行目）と操作ログ（４行目）の２個である。これらは全て図４に示す稼動情報に含まれている（日時「2001/12/10 23:45:00」と日時「2001/12/10 23:47:00」の事象情報ログ）。また、双方とも外部事象ログの後に操作ログが記録されており、同じ時系列の順序になっている。したがって、比較抽出部３４は、図５に示すパターン情報は、図４に示す稼動情報と一致すると判断する。
【００７０】
比較抽出部３４は、このような判断をして一致すると判断したときは、さらに、このパターン情報と対応付けられた保守情報を記憶部３３から読み出して抽出する。たとえば、パターン情報に付与された識別子を参照してもよい。具体的には、図６に示す保守情報を抽出する。比較抽出部３４は、この発明における比較抽出手段に相当する。
【００７１】
保守情報出力部３５は、比較抽出部３４によって抽出された保守情報を送信する。送信された保守情報は、ネットワーク７ｂを介して第1コンピュータ１の入力部２６に渡される。保守情報出力部３５は、この発明における第1保守情報出力手段に相当する。
【００７２】
次に、本実施例の動作について、図７を参照して説明する。
【００７３】
図７は、保守情報管理システムの動作を説明するフローチャートである。ここで、分光光度計３に障害が発生したことを前提とする。
【００７４】
＜ステップＳ１１＞  稼動情報の送信
分光光度計３に障害が発生した場合、操作者が操作部２１を操作して、第１コンピュータ１の稼動情報記憶部２４に蓄積された稼動情報を読み出して、稼動情報出力部２５から送信する。
【００７５】
＜ステップＳ２１＞  稼動情報の受信
第２コンピュータ５側では、ネットワーク７ｂを介して、稼動情報を受取部３１で受信する。受信した稼動情報は、比較抽出部３４に渡される（ステップＳ２２以降）とともに、第２コンピュータ５のユーザーの分析作業に供される（ステップ２７以降）。
【００７６】
＜ステップＳ２２＞  稼動情報とパターン情報との比較
比較抽出部３４は、記憶部３３に予め蓄積されているパターン情報を読み出す。そして、受取った稼動情報と読み出したパターン情報とを比較する。
【００７７】
＜ステップＳ２３＞  一致するか？
稼動情報に、パターン情報を構成する指定された事象情報ログが同じ時系列の順序で含まれている場合は、そのパターン情報は稼動情報と一致すると判断し、ステップＳ２４に進む。そうでない場合は一致しないと判断し、ステップＳ２５に進む。
【００７８】
＜ステップＳ２４＞  保守情報の抽出
比較抽出部３４は、一致すると判断したパターン情報と対応付けられた保守情報を記憶部３３から読み出して抽出する。
【００７９】
＜ステップＳ２５＞  全パターン情報と比較したか？
比較抽出部３４は、記憶部３３に蓄積される全てのパターン情報と比較したか判断する。全てのパターン情報との比較が終了していない場合は、ステップＳ２２に戻り、繰り返し同様の処理を行う。全てのパターン情報と比較したときは、抽出した保守情報を保守情報出力部３５に渡して、ステップ２６に進む。なお、全てのパターン情報と比較しても一致すると判断したものがない場合は、該当保守情報なしとなる。
【００８０】
＜ステップＳ２６＞  保守情報の送信
保守情報出力部３５は、抽出された保守情報を第１コンピュータ１へ送信する。
【００８１】
＜ステップＳ１２＞  保守情報の受信
第1コンピュータ１においては、入力部２６によって保守情報が受信される。
【００８２】
＜ステップＳ１３＞  保守情報の表示
入力された保守情報は、表示部２７に表示される。これにより分光光度計３の操作者に保守情報を提供することができる。これにより、操作者は保守作業を行うことができ、障害を除去することができる。
【００８３】
＜ステップＳ２７＞  パターン情報と保守情報の編集
一方、ステップＳ２１において受取った稼動情報が分析された結果、新たな保守情報とそれを特定し得る事象情報ログが見出されたときは、保守情報を入力するとともにかかる事象情報ログを指定する。これにより、編集部３２は、パターン情報を編集するとともに、保守情報をこのパターン情報に対応付けて編集する。
【００８４】
＜ステップＳ２８＞  パターン情報と保守情報の記憶
編集されたパターン情報及び保守情報は、記憶部３３に書き込まれて蓄積される。
【００８５】
以上のように構成された本実施例システムによれば、稼動情報には、分光光度計３に障害が発生する以前の事象情報ログも含まれている。よって、分光光度計３が稼動しているときの障害の発生の過程が事象情報ログによって明らかにすることが可能であり、障害の分析作業を効率よく行うことができる。
【００８６】
事象情報ログは、操作ログと内部事象ログと外部事象ログとを含む。そして、これら３種類の事象情報ログを一つにまとめているので、障害の分析作業を多面的に行うことができる。具体的には、本実施例システムは、第１コンピュータ１の制御部２２や、分光光度計３や、第１コンピュータ１と分光光度計３との間の通信等で発生する障害にも対応することができる。また、分光光度計３自体や通信回線７ａ等のハードウエアの障害や、アプリケーションソフトウエア等のソフトウエアの障害にも対応することができる。
【００８７】
分析作業の結果、保守情報を特定できても、将来全く同じ稼動情報を第２コンピュータ５が受取るケースは稀である。稼動情報には、障害と関係する事象情報ログのほかに、関係しない事象情報ログが混在するからである。しかしながら、編集部３２によって稼動情報からパターン情報を編集することによって、障害と関係しない事象情報ログに拘泥することなく、保守情報を特定することができる。したがって、従来不十分であった分析結果の活用をすることができる。
【００８８】
記憶部３３によって、パターン情報と保守情報とを蓄積して記憶することで、保守情報のデータベースを構築することになり、さまざまな障害に対応することが可能となる。
【００８９】
さらに、比較抽出部３４を備えることで、第２コンピュータが稼動情報を受取ると、障害を除去するための保守情報を抽出することができるので、第１コンピュータの操作者等に保守情報を迅速に提供することが可能である。
【００９０】
また、第１コンピュータ１と第２コンピュータ５とをネットワーク７ｂを介して接続されている。これにより、障害が発生したときに、第１コンピュータ１と第２コンピュータとの間で稼動情報及び保守情報を送受信することができるので、第１コンピュータ１側の操作者に直ちに保守情報を提供することができる。
【００９１】
さらに、第１コンピュータ１は保守情報を表示する表示部２７を備えるので、第１コンピュータ１側にいる操作者が保守情報を閲覧することができる。
【００９２】
この発明は、上記実施形態に限られることはなく、下記のように変形実施することができる。
【００９３】
（１）上述した実施例では、第２コンピュータ５の比較抽出部３４は、パターン情報が一致すると判断したときは、そのパターン情報に対応した保守情報を順に抽出するものであったが、重み付けをして保守情報を抽出してもよい。
【００９４】
たとえば、一致すると判断したパターン情報のうち、指定された事象情報ログの数が多いものに対応付けられた保守情報から優先的に抽出してもよい。このとき、保守情報出力部３５は、優先的に抽出された順に出力するようにする。このような構成とすることで、一致度の高い保守情報から優先的に提供できる。
【００９５】
また、複数の指定された事象情報を含む稼動情報において、指定された事象情報ログ間の時間の長さによって重み付けをしてもよい。あるいは、指定された事象情報ログ間に生成された障害と無関係な事象情報ログの数によって重み付けをしてもよい。このような構成とすることで、確度の高い保守情報から優先的に提供することができる。
【００９６】
（２）上述した実施例では、第１コンピュータ１と第２コンピュータ５とはネットワーク７ｂを介して情報通信できる構成であったが、これに限られない。すなわち、稼動情報出力部は、ＵＳＢメモリ等の電子媒体や各種ディスク等の磁気媒体に装置稼動情報を書き込む構成であってもよい。
【００９７】
（３）上述した実施例では、第１コンピュータ１は入力部２６と出力部２７とを備えて保守情報を閲覧できる構成であったが、かかる入力部２６と出力部２７とは備えなくてもよい。すなわち、第２コンピュータ５の稼動情報出力部３５がモニタまたはプリンタ等に出力することで保守情報を提供する構成としてもよい。これにより、第１コンピュータ１の機能を低減することができる。
【００９８】
（４）上述した実施例では、第１コンピュータ１は稼動情報記憶部２４を備えて稼動情報を格納する構成であったが、稼動情報記憶部２４を備えず、直接稼動情報出力部２５から稼動情報を出力する構成としてもよい。
【００９９】
（５）上述した実施例では、第１コンピュータ１と分光光度計３とは、別体とする構成であったが、分光光度計３に第１コンピュータ１が組み込まれて一体として構成してもよい。
【０１００】
（６）上述した実施例では、第１コンピュータ１のログ生成部２３は、事象情報ログとして操作ログと内部事象情報ログと外部事象情報ログとを生成する構成であったが、これに限定されるものではない。
【０１０１】
（７）上述した実施例では、第１コンピュータ１の操作部２１はキーボード１５ａとマウス１５ｂとによって構成されているが、これらに限られるものではなく、公知の入力装置とすることができる。
【図面の簡単な説明】
【０１０２】
【図１】実施例に係る保守情報管理システムの概略構成を示す図である。
【図２】第１コンピュータの基本構成を示す図である。
【図３】実施例に係る保守情報管理システムの機能構成を示すブロック図である。
【図４】稼動情報の構成を示す模式図である。
【図５】パターン情報の構成を示す模式図である。
【図６】保守情報の構成を示す模式図である。
【図７】保守情報管理システムの動作を説明するフローチャートである。
【符号の説明】
【０１０３】
１  …第１コンピュータ
３  …分光光度計
５  …第２コンピュータ
７ａ  …通信回線
７ｂ  …ネットワーク
２１  …操作部
２２  …制御部
２３  …ログ生成部
２４  …稼動情報記憶部
２５  …稼動情報出力部
２６  …入力部
２７  …表示部
３１  …受取部
３２  …編集部
３３  …記憶部
３４  …比較抽出部
３５  …保守情報出力部
【図１】
2005275713.tif 000003
【図２】
2005275713.tif 000004
【図３】
2005275713.tif 000005
【図４】
2005275713.tif 000006
【図５】
2005275713.tif 000007
【図６】
2005275713.tif 000008
【図７】
2005275713.tif 000009